(57)【要約】【課題】不意に電力が供給されなくなっても光源ランプの発光を一定時間以上維持する。【解決手段】内視鏡用電源装置１では、商用電源から１次入力がバックアップ電源１１に入力される。バックアップ電源１１は、バッテリ等の電力蓄積手段３１を有しており、商用電源から１次入力を整流して電力蓄積手段３１の充電を行うとともに、１次入力を整流回路１２に導く。また、バックアップ電源１１は、内部に電力供給検出手段３２及び蓄積電力供給手段３３を備えている。電力供給検出手段３２は、一次入力から電力が入力されているか否かを検出する。蓄積電力供給手段３３は、電力供給検出手段３２が一次入力から電力が入力されていないことを検出した場合、電力蓄積手段３１に蓄えた電気エネルギーから商用電源と同等の交流電圧を発生し１次入力として整流回路１２に導く。【選択図】　図１
2004121612.tif 000002
【特許請求の範囲】
【請求項１】
添加物を含んだ光源ランプを発光可能な電力を入力する電力入力手段と、
前記電力入力手段で入力された電力を前記光源ランプに供給可能なランプ電源回路と、
前記電力入力手段で入力された電力を蓄積可能な電力蓄積手段と、
前記電力入力手段から前記ランプ電源回路に供給される電力の供給状態を検出する電力供給検出手段と、
前記電力供給検出手段の検出結果に基づき、前記電力蓄積手段に蓄積された電力をランプ電源回路に供給する蓄積電力供給手段と、
を具備したことを特徴とする内視鏡光源装置。
【請求項２】
前記電力入力手段からの電力の供給状態を知らせる告知手段を具備したことを特徴とする請求項１に記載の内視鏡光源装置。
【発明の詳細な説明】
【０００１】
【発明の属する技術分野】
本発明は、添加物を含んだ光源ランプを発光可能な内視鏡光源装置に係り、特に不意に電力が供給されなくなっても光源ランプの発光を一定時間以上維持できる内視鏡光源装置に関する。
【０００２】
【従来の技術】
従来、高輝度の光源としては、高圧放電灯と呼ばれる、水銀あるいはハロゲン化金属等の添加物を含んだ光源ランプある。
【０００３】
このような添加物を含んだ光源ランプを発光させる光源装置では、高圧パルス発生装置により光源ランプを起動している（例えば、特許文献１参照）。
【０００４】
一方、内視鏡装置は、体腔内に挿入し患部を撮像する電子内視鏡と、電子内視鏡に照明光を供給する光源と、電子内視鏡より得られた撮像信号を信号処理する信号処理装置等から構成している。
【０００５】
内視鏡装置の光源としては、高輝度化の要求から前記添加物を含んだ光源ランプを発光させる内視鏡光源装置を用いるものがある（例えば、特許文献２参照）。
【０００６】
【特許文献１】
特開平９−３２０７７２号公報（第３−５頁、図１）
【０００７】
【特許文献２】
特開２０００−２１０２４５号公報（第２−３頁、図１）
【０００８】
【発明が解決しようとする課題】
このような従来の水銀あるいはハロゲン化金属等の添加物を含んだ光源ランプを採用した内視鏡光源装置では、不意に電源コードなどが切断され、電力が供給されなくなり、光源ランプが消灯した後、再び電源コードを接続し、内視鏡光源装置に電力が供給される状態に復旧し、光源ランプが再点灯する場合において、光源ランプが再点灯するまでに時間がかかった。この場合の再点灯時間は約２分以上であった。内視鏡が体腔内に光を供給している時にこの再点灯待ちの状態になると検査あるいは手術を一次中断する必要がある場合があり、操作が煩雑になった。
【０００９】
本発明は、前記事情に鑑みてなされたものであり、不意に電力が供給されなくなっても光源ランプの発光を一定時間以上維持できる内視鏡光源装置を提供することを目的としている。
【００１０】
【課題を解決するための手段】
前記目的を達成するため請求項１に記載の内視鏡光源装置は、添加物を含んだ光源ランプを発光可能な電力を入力する電力入力手段と、前記電力入力手段で入力された電力を前記光源ランプに供給可能なランプ電源回路と、前記電力入力手段で入力された電力を蓄積可能な電力蓄積手段と、前記電力入力手段から前記ランプ電源回路に供給される電力の供給状態を検出する電力供給検出手段と、前記電力供給検出手段の検出結果に基づき、前記電力蓄積手段に蓄積された電力をランプ電源回路に供給する蓄積電力供給手段と、を具備したことを特徴とする。
【００１１】
請求項２に記載の内視鏡光源装置は、請求項１に記載の内視鏡光源装置であって、前記電力の供給状態を知らせる告知手段を具備したことを特徴とする。
【００１２】
【発明の実施の形態】
以下、本発明の実施の形態を図面を参照して説明する。
（第１の実施の形態）
図１は本発明の第１の実施の形態に係る内視鏡光源装置のブロック図である。
（構成）
図１に示すように、内視鏡光源装置１は、バックアップ電源１１、整流回路１２、アクティブフィルタ１３、ランプ電源回路１４、スタータ回路１５、光源ランプ１６、２次回路電源１７、ＣＰＵ回路１８、調光回路１９、回路非常灯回路２０及び非常灯ランプ２１を含んで構成される。
【００１３】
光源ランプ１６は、ランプ内に水銀あるいはハロゲン化金属等の添加物を含んだ高圧放電灯である。
【００１４】
内視鏡用電源装置１では、商用電源からの商用交流電圧が１次入力としてバックアップ電源１１に入力される。
【００１５】
バックアップ電源１１は、バッテリ等の電力蓄積手段３１を有しており、商用電源による１次入力を整流して電力蓄積手段３１の充電を行うとともに、前記１次入力を整流回路１２に導く。
【００１６】
また、バックアップ電源１１は、内部に電力供給検出手段３２及び蓄積電力供給手段３３を備えている。
【００１７】
電力供給検出手段３２は、一次入力から電力が入力されているか否かを検出する。
【００１８】
蓄積電力供給手段３３は、電力供給検出手段３２が一次入力から電力が入力されていないことを検出した場合、電力蓄積手段３１に蓄えた電気エネルギーから商用電源と同等の交流電圧を発生し１次入力として整流回路１２に導く。
【００１９】
整流回路１２は、バックアップ電源１１からの１次入力を交流から直流に整流し、アクティブフィルタ１３に入力する。アクティブフィルタ１３は整流回路１２からの直流電圧を昇圧する。
【００２０】
アクティブフィルタ１３により昇圧された電圧は、チョッパー回路等のランプ電源回路１４に供給され、パルス電圧に変換される。
【００２１】
ランプ電源回路１４からのパルス電圧はスタータ回路１５に入力される。スタータ回路１５は、光源ランプ１６点灯前にランプ電源回路１４からのパルス電圧を数１０ｋＶの電圧に昇圧し、光源ランプ１６に高圧を印可する。光源ランプ１６に高圧が印可すると、光源ランプ１６内のアノード・カソード電極間で絶縁破壊が起こり光源ランプ１６が点灯する。
【００２２】
光源ランプ１６の絶縁破壊後、ランプ電源回路１４及びスタータ回路１５は、光源ランプ１６の点灯維持するだけの電流及び電圧を光源ランプ１６に供給する。
【００２３】
また、アクティブフィルタ１３により昇圧された電圧は、２次回路電源１７にも並列で供給される。
【００２４】
２次回路電源１７には、ＣＰＵ回路１８、調光回路１９及び非常灯回路２０が接続されている。非常灯回路２０は非常灯ランプ２１の点灯を行うものである。
【００２５】
２次回路電源１７は、アクティブフィルタ１３からの電圧を変圧して、例えば、ＣＰＵ回路１８に±５Ｖの電圧を供給し、調光回路１９に±１５Ｖ電圧を供給する。
【００２６】
ＣＰＵ回路１８は、内視鏡用電源装置１全体を制御する。調光回路１９は、光源ランプ１６から発する光を最適な明るさに調光する。
【００２７】
また２次回路電源１７は、アクティブフィルタ１３からの電力により、光源ランプ１６が不点灯になった時など非常灯回路２０等を駆動してハロゲンランプ等の非常灯ランプ２１を点灯させる。
【００２８】
このような構成により、商用電源による１次入力は、添加物を含んだ光源ランプ１６を発光可能な電力を入力する電力入力手段になっている。
【００２９】
ランプ電源回路１４は、前記電力入力手段で入力された電力を前記光源ランプ１６に供給可能になっている。
【００３０】
電力蓄積手段３１は、前記電力入力手段で入力された電力を蓄積可能になっている。
【００３１】
電力供給検出手段３２は、前記電力入力手段から前記ランプ電源回路１４に供給される電力の供給状態を検出する。
【００３２】
蓄積電力供給手段３３は、前記電力供給検出手段３２の検出結果に基づき、前記電力蓄積手段３１に蓄積された電力をランプ電源回路１４に供給する。
【００３３】
（作用）
ここで、内視鏡光源装置１をバックアップ電源１１がない構成とした場合、商用電源から不意に電力供給が絶った時、例えば、図示していない電源コードなどが外れた時に光源ランプ１６は消灯する。直ぐに電源を投入した段階では水銀あるいはハロゲン化金属等の添加物を含んだ光源ランプ１６は、水銀あるいはハロゲン化金属等が蒸気化しているため、アノード・カソードの絶縁破壊が非常におきにくい状態になる。そのため、光源ランプ１６は点灯しない場合がある。そして、光源ランプ１６が次に再点灯するまでの時間は約２分以上かかる場合もある。
【００３４】
これに対して、図１に示すように、内視鏡光源装置１にバックアップ電源１１がある場合は、商用電源から不意に電力が絶ってもある時間（再点灯するまでの時間２分以上）ランプ電源回路１４に電力を供給することができ、光源ランプ１６の消灯を防止できる。
【００３５】
（効果）
このような第１の実施の形態によれば、患者体腔内に光を供給するための内視鏡光源装置１に電力が不意に供給されなくなっても光源ランプ１６の発光を一定時間以上維持でき、光源ランプ１６が消灯することなく患者体腔内に光を供給でき、手術を一次中断する必要がなく、操作が簡単になる。
【００３６】
る。
【００３７】
（第２の実施の形態）
図２は本発明の第１の実施の形態に係る内視鏡光源装置のブロック図である。
【００３８】
図２を用いた第２の実施の形態の説明において、図１に示した第１の実施の形態と同様の構成要素には同じ符号を付して説明を省略している。
【００３９】
（構成）
図２に示すように、第２の実施の形態の内視鏡光源装置２は、第１の実施の形態に加え、ＣＰＵ回路４１とフロントパネル表示部４２が、前記電力入力手段からの電力の供給状態を知らせる告知手段として機能するものである。
【００４０】
（作用）
ＣＰＵ回路４１は、バックアップ電源１１内部の電力供給検出手段３２で電力入力手段（商用電源の１次入力）からの電力を検出し、この検出結果に基づいてフロントパネル表示部４２を制御する。
【００４１】
商用電源から電力が供給されている場合、ＣＰＵ回路４１は、フロントパネル表示部４２に通常動作を示すために発光ダイオード（以下、ＬＥＤと呼ぶ）等を点灯させ、操作スイッチ等も操作動作可能にする。
【００４２】
商用電源からの電力が絶たれている時、ＣＰＵ回路４１は、フロントパネル表示部４２にＬＥＤを消灯させ、操作スイッチ等も操作できなくする。また、ＣＰＵ回路４１は、光源ランプ１６から図示していない内視鏡のライトガイドケーブル等に光を供給しないように、内視鏡光源装置２内部に設けた図示しないシャッタ等で光を遮断させ、内視鏡が体腔内の照明を行わないようにする。再び電源コードを商用電源に接続し、電力が供給されると、ＣＰＵ回路４１は、通常の動作に復帰する。
【００４３】
（効果）
このような第２の実施の形態によれば、フロントパネル表示部４２の状態や内視鏡の照明状態により、一次入力電力が供給されているか否か（電源コードが接続されているか否か）が分かり、即座に電源コードを商用電源に再接続することでバックアップ電源１１への負担が軽くできる。
【００４４】
［付記］
以上詳述したような本発明の前記実施の形態によれば、以下の如き構成を得ることができる。
【００４５】
（付記項１）　添加物を含んだ光源ランプを発光可能な電力を入力する電力入力手段と、
前記電力入力手段で入力された電力を前記光源ランプに供給可能なランプ電源回路と、
前記電力入力手段で入力された電力を蓄積可能な電力蓄積手段と、
前記電力入力手段から前記ランプ電源回路に供給される電力の供給状態を検出する電力供給検出手段と、
前記電力供給検出手段の検出結果に基づき、前記電力蓄積手段に蓄積された電力をランプ電源回路に供給する蓄積電力供給手段と、
を具備したことを特徴とする内視鏡光源装置。
【００４６】
（付記項２）　前記電力入力手段からの電力の供給状態を知らせる告知手段を具備したことを特徴とする付記項１に記載の内視鏡光源装置。
【００４７】
（付記項３）　電力入力手段は商用電源による一次入力であることを特徴とする付記項１または２に記載の内視鏡光源装置。
【００４８】
【発明の効果】
以上述べた様に本発明によれば、不意に電力が供給されなくなっても光源ランプの発光を一定時間以上維持できるので、光源ランプが消灯することなく患者体腔内に光を供給でき、手術を一次中断する必要がなく、操作が簡単になる。
【図面の簡単な説明】
【図１】本発明の第１の実施の形態に係る内視鏡光源装置のブロック図。
【図２】本発明の第２の実施の形態に係る内視鏡光源装置のブロック図。
【符号の説明】
１　　　　　…内視鏡光源装置
１１　　　　…バックアップ電源
１２　　　　…整流回路
１３　　　　…アクティブフィルタ
１４　　　　…ランプ電源回路
１５　　　　…スタータ回路
１６　　　　…光源ランプ
１７　　　　…２次回路電源
１８　　　　…ＣＰＵ回路
１９　　　　…調光回路
２０　　　　…回路非常灯回路
２１　　　　…非常灯ランプ
３１　　　　…電力蓄積手段
３２　　　　…電力供給検出手段
３３　　　　…蓄積電力供給手段
【図１】
2004121612.tif 000003
【図２】
2004121612.tif 000004